(57)【特許請求の範囲】
【請求項１】
板状部材を収容する筺体内で前記板状部材を固定する接着構造であって、
前記板状部材の前記筺体側に位置する第１の面および前記筺体で囲まれる第１の空間と、前記第１の面の反対側の第２の面側に位置する第２の空間とを接続する開口と、
前記第１の面側において前記開口に応じて位置付けられた、紫外線透過性の材料を含む固定部と、
前記開口に位置した、前記固定部と前記板状部材とを互いに固定する紫外線硬化型の接着剤と、
前記板状部材の側面外周に位置した、紫外線を透過する透過部と、
を備える接着構造。
【請求項２】
紫外線透過性の材料を含み、前記透過部から前記固定部まで空間的に連続して第１の空間に配置されている導光部をさらに含む請求項１に記載の接着構造。
【請求項３】
前記導光部は、前記第２の空間側から前記固定部まで空間的に連続している請求項２に記載の接着構造。
【請求項４】
前記開口は、前記板状部材を貫通する貫通孔、および前記板状部材の外縁の一部に設けられた切欠き状の凹部の双方または何れか一方である請求項１乃至３のいずれか一項に記載の接着構造。
【請求項５】
紫外線透過性の材料を含み、前記透過部から前記固定部まで空間的に連続して第１の空間に配置されている導光部をさらに含み、
前記開口は、前記板状部材を貫通する貫通孔、および前記板状部材の外縁の一部に設けられた切欠き状の凹部の双方または何れか一方であり、
前記導光部は前記切欠き状の凹部内に部分的に位置する請求項１に記載の接着構造。
【請求項６】
前記第１の空間に配置され、前記開口から入射された紫外線を、前記固定部と前記板状部材との接着部の方へ反射させる反射部を備える請求項１から５の何れか一項に記載の接着構造。
【請求項７】
前記固定部は、該固定部における前記板状部材に対向する部分から前記筺体に向かう穴部を備え、
前記接着剤は前記穴部に位置する、請求項１から６の何れか一項に記載の接着構造。
【請求項８】
基板と、
撮像光学系と、
前記基板に搭載される撮像素子と、
前記基板、前記撮像素子、および前記撮像光学系を収容する筺体と、
前記筺体内で前記基板を固定する接着構造体と、を備え、
前記接着構造体は、前記基板の前記筺体側に位置する第１の面および前記筺体で囲まれる第１の空間と、前記第１の面の反対側の第２の面側に位置する第２の空間とを接続する開口と、前記第１の面側において前記開口に応じて位置付けられた、紫外線透過性の材料を含む固定部と、前記開口に位置した、前記固定部と前記基板とを互いに固定する紫外線硬化型の接着剤と、前記基板の側面外周に位置した、紫外線を透過する透過部とを含む撮像装置。
【請求項９】
基板と、
撮像光学系と、
前記基板に搭載される撮像素子と、
前記基板、前記撮像素子、および前記撮像光学系を収容する筺体と、
前記筺体内で前記基板を固定する接着構造体と、を備え、
前記接着構造体は、前記基板の前記筺体側に位置する第１の面および前記筺体で囲まれる第１の空間と、前記第１の面の反対側の第２の面側に位置する第２の空間とを接続する開口と、前記第１の面側において前記開口に応じて位置付けられた、紫外線透過性の材料を含む固定部と、前記開口に位置した、前記固定部と前記基板とを互いに固定する紫外線硬化型の接着剤と、前記基板の側面外周に位置した、紫外線を透過する透過部とを含む撮像装置を備える車載カメラ。
【発明の詳細な説明】
【関連出願の相互参照】
【０００１】
本出願は、２０１６年４月２８日出願の日本国特許出願２０１６−０９１５９６の優先権を主張するものであり、当該出願の開示全体を、ここに参照のために取り込む。
【技術分野】
【０００２】
本発明は、板状部材を収容する筺体内で板状部材を固定する接着構造、撮像装置、および車載カメラに関する。
【背景技術】
【０００３】
撮像装置のレンズユニットにおいて接着剤を用いて部品を固定されることが知られている。【０００４】
例えば、レンズユニットの基板を筺体に搭載するにあたっては、筺体の一部にあらかじめ接着剤が塗布され、塗布された接着剤を介して基板が筺体に固定して取り付けられる。筺体の一部に塗布されて間もない接着剤は軟らかい状態であり、この状態の接着剤に基板を接着させる。筺体に塗布され基板に接着された接着剤は紫外線硬化型の接着剤であり、紫外線を照射されると硬化が促進され、これによって基板は筺体に取り付けられ、固定される。【０００５】
また、紫外線硬化型の接着剤の硬化を促進するためにＵＶ照射装置によって照射された紫外線を反射部によって反射させて基板と電子部品との接着部に導くことが提案されている（特許文献１参照）。
【先行技術文献】
【特許文献】
【０００６】
【特許文献１】特開２００１−２５１０４５号公報
【発明の概要】
【０００７】
本開示の実施形態の接着構造は、板状部材を収容する筺体内で前記板状部材を固定する。前記接着構造は、開口と、固定部と、接着剤と、透過部と、を備える。前記開口は、前記板状部材の前記筺体側に位置する第１の面および前記筺体で囲まれる第１の空間と、前記第１の面の反対側の第２の面側に位置する第２の空間とを接続する。前記固定部は、前記第１の面側において前記開口に応じて位置付けられた、紫外線透過性の材料を含む。前記接着剤は、前記固定部と、前記開口に位置した、前記固定部と前記板状部材とを互いに固定する紫外線硬化型の接着剤である。前記透過部は、前記板状部材の側面外周に位置し、紫外線を透過する。
【０００８】
本開示の実施形態の撮像装置は、基板と、撮像光学系と、前記基板に搭載される撮像素子と、前記基板、前記撮像素子、および前記撮像光学系を収容する筺体と、前記筺体内で前記基板を固定する接着構造体と、を備える。前記接着構造体は、開口と、固定部と、接着剤と、透過部と、を備える。前記開口は、前記基板の前記筺体側に位置する第１の面および前記筺体で囲まれる第１の空間と、前記第１の面の反対側の第２の面側に位置する第２の空間とを接続する。前記固定部は、前記第１の面側において前記開口に応じて位置付けられた、紫外線透過性の材料を含む。前記接着剤は、前記開口に位置した、前記固定部と前記基板とを互いに固定する紫外線硬化型の接着剤である。前記透過部は、前記基板の側面外周に位置し、紫外線を透過する。
【０００９】
本開示の実施形態の車載カメラは、撮像装置を備える。前記撮像装置は、基板と、撮像光学系と、前記基板に搭載される撮像素子と、前記基板、前記撮像素子、および前記撮像光学系を収容する筺体と、前記筺体内で前記基板を固定する接着構造体と、を備える。前記接着構造体は、開口と、固定部と、接着剤と、透過部と、を備える。前記開口は、前記基板の前記筺体側に位置する第１の面および前記筺体で囲まれる第１の空間と、前記第１の面の反対側の第２の面側に位置する第２の空間とを接続する。前記固定部は、前記第１の面側において前記開口に応じて位置付けられた、紫外線透過性の材料を含む。前記接着剤は、前記開口に位置した、前記固定部と前記基板とを互いに固定する紫外線硬化型の接着剤である。前記透過部は、前記基板の側面外周に位置し、紫外線を透過する。
【発明の効果】
【００１０】
本開示の一実施形態によれば、板状部材に基板を固定する時間の短縮化が可能となる。
【図面の簡単な説明】
【００１１】
【図１】図１は、第１の実施形態におけるレンズユニットの外観を示す側面図である。
【図２】図２は、図１に示すレンズユニットを含む撮像装置を車載カメラとして搭載した車両の概略を示す正面図である。
【図３】図３は、図１に示すレンズユニットの上面図である。
【図４】図４は、図３に示すレンズユニットの断面図である。
【図５】図５は、第２の実施形態におけるレンズユニットの一部を示す上面図である。
【図６】図６は、図５に示すレンズユニットの一部を示す断面図である。
【図７】図７は、第３の実施形態におけるレンズユニットの一部を示す上面図である。
【図８】図８は、図７に示すレンズユニットの一部を示す断面図である。
【図９】図９は、第４の実施形態におけるレンズユニットの一部を示す上面図である。
【図１０】図１０は、第５の実施形態におけるレンズユニットの一部を示す上面図である。
【図１１】図１１は、第５の実施形態におけるレンズユニットの一部の他の例を示す上面図である。
【図１２】図１２は、第６の実施形態におけるレンズユニットの一部を示す上面図である
【図１３】図１３は、図１２に示すレンズユニットの一部を示す断面図である。
【発明を実施するための形態】
【００１２】
紫外線硬化性の接着剤を用いて、筺体内に基板等の板状部材を固定するとき、板状部材が、紫外線によって照射される面とは反対の面側で接着剤を用いて筺体に取り付けられていることがある。この場合、紫外線が板状部材に遮られて接着剤に到達しないことがある。また、撮像光学系が、該撮像光学系を透過した光が撮像素子に集光されるように設計および配置されているため、撮像光学系を透過して入射した紫外線は接着剤に到達しにくい。このため、紫外線硬化型の接着剤の硬化は促進されず、板状部材を固定する時間の短縮化を図ることが困難である。
【００１３】
本開示によれば、板状部材を筺体に固定する時間を短縮化することが可能となる。
【００１４】
＜第１の実施形態＞
以下、本開示の第１の実施形態について、図面を参照して説明する。
【００１５】
図１に示すように、第１の実施形態に係るレンズユニット１は、筺体１１、基板１２（板状部材）、撮像素子１３、撮像光学系１４、接着構造１５（接着構造体）等を含んで構成される。筺体１１は基板１２を収容する。筺体１１と基板１２との間は、固定部１６、接着剤１７等を用いた接着構造１５によって固定される。
【００１６】
図２に示すように、レンズユニット１は、画像処理用のプロセッサおよびメモリ等とともに撮像装置７を構成する。また、撮像装置７は、例えば車載カメラとして車両８に搭載される。図２に示す例では、撮像装置７は、車両８の進行方向を撮像するように搭載されているが、これに限られず、例えば、進行方向の後方または側方を撮像するように搭載されてもよい。
【００１７】
レンズユニット１の組み立てにおいて筺体１１が基板１２に取り付けられるとき、筺体１１の、基板１２の面に平行な面の、基板１２を挟んで反対側に開口を有する。以降の説明では、基板１２の筺体１１への取付け時に、筺体１１の、外部に対して開いている側（図１における上側）が上側とされる。
【００１８】
図３に示すように、筺体１１および基板１２は、上面視において矩形状をしている。基板１２は筺体１１の４つの角部に隣接して位置する固定部１６に取り付けられ、固定される。筺体１１および基板１２の上面視における形状は矩形状に限られず、例えば、円形状、楕円形状等の任意の形状であってもよい。
【００１９】
図４に示すように、筺体１１は、基板１２を収容し、基板１２を固定する固定部１６と一体に構成される。また、筺体１１は、直方体状の形状をしている。なお、図４においては、図１に示す撮像光学系１４が省略されている。
【００２０】
基板１２は、撮像素子１３を取り付ける板状部材である。また、基板１２は、筺体１１側に面する第１の面１２１と、第１の面１２１の反対側の第２の面１２２を有する。また、基板１２は、紫外線硬化型の、例えば樹脂性の接着剤１７を介して固定部１６に固定して取り付けられる。
【００２１】
撮像素子１３は、基板１２の下面に取り付けられる。撮像素子１３は、ＣＣＤ（Charge-Coupled Device）イメージセンサまたはＣＭＯＳ（Complementary Metal Oxide Semiconductor）イメージセンサを用いてもよい。また、撮像素子１３では、撮像光学系１４を通って入射された光を結像させ、結像した像の光を光電変換する。
【００２２】
図１に示す撮像光学系１４は、筺体１１の下部に、集光性能を有する１つ以上の、レンズ等の光学素子を含んで構成される。撮像光学系１４は入射された光を撮像素子１３に結像させるように配置される。
【００２３】
図４に示すように、接着構造１５は、基板１２に設けられた貫通孔２０である開口と、筺体１１と一体に設けられた固定部１６と、接着剤１７と、基板１２の側面外周に位置した透過部１８等を含んで構成される。
【００２４】
貫通孔２０は、基板１２を貫通し、基板１２の第１の面１２１および筺体１１で囲まれる第１の空間１２ａと、第２の面１２２側の第２の空間１２ｂとを接続するように貫通した孔である。
【００２５】
固定部１６は、紫外線を透過させる紫外線透過性の材料で構成された、筺体１１と一体となった固定用部材である。固定部１６は、筺体１１と一体に設けられる代わりに、筺体１１に取り付けられた固定用部材であってもよい。また、固定部１６は、基板１２の第１の面１２１側で貫通孔２０に応じて位置付けられる。図４に示す例では、固定部１６は第１の空間１２ａ内において、該固定部１６の一方の端部で筺体１１の底面と一体となり、該固定部１６の他方の端部が貫通孔２０に対向するように配置される。
【００２６】
また、固定部１６は、該固定部１６における基板１２に対向する部分から筺体１１に向かう穴部１６１を有する。
【００２７】
固定部１６が筺体１１と一体である場合、筺体１１および固定部１６は二色成形により成形することができる。具体的には、一次金型によって紫外線透過性の材料で構成された固定部１６が成形された後、二次金型によって遮光材料を含む筺体１１が形成される。
【００２８】
接着剤１７は、紫外線硬化型の接着剤である。接着剤１７は、基板１２の開口に位置して硬化し、基板１２と固定部１６とを互いに固定する。具体的には、接着剤１７は、基板１２の筺体１１への取付け時に固定部１６の穴部１６１に充填され、穴部１６１から連続して固定部１６の上側および外側にも塗布される。固定部１６の上側および外側に塗布された接着剤１７は連続して基板１２の第１の面１２１における貫通孔２０の近傍まで塗布される。さらに、接着剤１７は、基板１２の第１の面１２１における貫通孔２０の近傍から、貫通孔２０の内部、基板１２の第２の面１２２の貫通孔２０の近傍まで塗布される。これにより、接着構造１５の完成時においては、接着剤１７は硬化した状態で穴部１６１、固定部１６の上側および外側、基板１２の第１の面１２１および第２の面１２２それぞれにおける貫通孔２０の近傍、ならびに貫通孔２０の内部に連続して位置する。
【００２９】
透過部１８は、基板１２の筺体１１への取付け時に筺体１１の外部から第２の空間１２ｂに入射した紫外線を第１の空間１２ａ内へ透過させる部分である。透過部１８は、基板１２の側面外周に位置しており、空間であってもよいし、紫外線透過性の材料を含んでもよい。
【００３０】
また、図４に示すように、レンズユニット１は、反射部１９を備えてもよい。反射部１９は、基板１２の筺体１１への取付け時に外部から第２の空間１２ｂに入射され、透過部１８を透過した紫外線を接着部に向けて反射するように配置される。接着部は、基板１２と固定部１６との間の接着剤１７が塗布されている部位である。図４に示す例では、反射部１９は、第１の空間１２ａ内で、筺体１１の内側の側面と底面とがなす角に配置される。
【００３１】
第１の実施形態において、接着構造１５は、レンズユニット１の組み立てにおける基板１２の筺体１１への取付け時に、外部に対して開いている部分を有する。そのため、紫外線が外部から筺体１１の第２の空間１２ｂに入射することができる。そして、第２の空間１２ｂに入射された紫外線は、基板１２に設けられた貫通孔２０を通過する。そのため、貫通孔２０内に挿入された接着剤１７の硬化を促進することができる。さらに、固定部１６は紫外線透過性の材料を含む。したがって、貫通孔２０を通過し固定部１６の上側および穴部１６１に到達した紫外線は、固定部１６を通過して固定部１６の外側に到達する。このため、固定部１６の外側に付着している接着剤１７が紫外線に照射されやすくなり、接着剤１７の硬化が促進される。
【００３２】
また、第１の実施形態において、接着構造１５は、基板１２の側面外周に位置した、紫外線を透過する透過部１８を備える。そのため、基板１２の筺体１１への取付け時に第２の空間１２ｂに入射された紫外線は、透過部１８を透過して第１の空間１２ａに入射され、直接または１回以上、第１の空間１２ａの中で反射する。そして、紫外線は、第１の空間１２ａに配置されている固定部１６の外側に到達する。このため、固定部１６の外側に塗布された接着剤１７の硬化が促進される。さらに、上述のように、固定部１６は紫外線透過性の材料を含むため、固定部１６の外側に到達した紫外線は、固定部１６を通過して固定部１６の穴部１６１に挿入された接着剤１７を照射する。したがって、穴部１６１内の接着剤１７の硬化が促進される。
【００３３】
また、第１の実施形態において、固定部１６が筺体１１と一体となっている場合、筺体１１および固定部１６は二色成形により成形される。そのため、筺体１１と固定部１６との累積公差を考慮する必要がなく、また固定による強度低下を防ぐことができる。
【００３４】
また、第１の実施形態において、反射部１９が、外部から第２の空間１２ｂに入射され、透過部１８を透過した紫外線を、固定部１６と基板１２との接着部の方へ反射するように配置される。そのため、より多くの紫外線が固定部１６の外側に到達し、接着剤１７を照射する
【００３５】
また、第１の実施形態において、穴部１６１には接着剤１７が位置し、穴部１６１内に位置している接着剤１７に連続して、固定部１６の上側および外側に位置している接着剤１７に基板１２が固定されている。このため、穴部１６１と硬化した状態の接着剤１７とが互いに嵌合し、接着剤１７は固定部１６から剥がれることなく固定部１６と基板１２とは強固に固定される。
【００３６】
＜第２の実施形態＞
続いて、本開示の第２の実施形態について、図面を参照して説明する。
【００３７】
第２の実施形態に係るレンズユニット２は、第１の実施形態に係るレンズユニット１と同じく、筺体１１、基板１２、撮像素子１３、撮像光学系１４、接着構造１５等を含んで構成され、さらに反射部１９を備えてもよい。本実施形態の接着構造１５は、図５に示すように、紫外線透過性の材料を含む、紫外線を導光する導光部２１をさらに備える点で第１の実施形態と異なる。
【００３８】
図５のＡＡ線での断面図である図６に示すように、導光部２１は、第２の空間１２ｂから第１の空間１２ａの固定部１６にまで空間的に連続して配置される。なお、図５及び６においては、撮像光学系１４が省略されている。図６に示す例では、導光部２１は、筺体１１の内側の側面に沿って配置され、第１の空間１２ａにおいては筺体１１の内側の側面および底面に接して配置される。これにより、導光部２１は、第２の空間１２ｂから固定部１６まで空間的に連続するように配置される。導光部２１は、固定部１６と一体として設けられてもよいし、固定部１６に接するように配置されてもよい。
【００３９】
第２の実施形態におけるその他の構成、作用は第１の実施形態と同じなので、同一または対応する構成要素には、同一参照符号を付して説明を省略する。
【００４０】
第２の実施形態によれば、基板１２の筺体１１への取付け時に紫外線が透過部１８から固定部１６の外側に到達し、接着剤１７に照射される。そのため、第１の実施形態と同じく、接着剤１７の硬化が促進される。さらに、筺体１１の外部から第２の空間１２ｂに入射された紫外線は、導光部２１によって導光されることにより第１の空間１２ａに配置された固定部１６まで到達しやすくなる。そのため、より多くの紫外線が接着剤１７に照射されて接着剤１７の硬化がより促進される。
【００４１】
＜第３の実施形態＞
続いて、本開示の第３の実施形態について、図面を参照して説明する。
【００４２】
第３の実施形態に係るレンズユニット３は、第２の実施形態に係るレンズユニット２と同じく、筺体１１、基板１２、撮像素子１３、撮像光学系１４、接着構造１５等を含んで構成される。レンズユニット３は、さらに反射部１９を備えてもよい。本実施形態に係る接着構造１５は、図７に示すように、基板１２に設けられた開口、筺体１１と一体に設けられた固定部１６、接着剤１７、および基板１２の側面外周に位置した透過部１８を含む。また、固定部１６は、筺体１１に取り付けられた固定用部材であってもよい。本実施形態に係る開口は、基板１２の外縁の一部に設けられた切欠き状の凹部２２であり、この点で第２の実施形態に係るレンズユニット２と異なる。なお、図７および８においては、撮像光学系１４が省略されている。
【００４３】
図７に示す例では、切欠き状の凹部２２は、基板１２に設けられた円形開口の外周の一部と基板１２の最も近い外周の一部との間を、上面視において、円形開口の直径より短い一定の幅で直線的に切り取った形状を有している。幅は、円形開口の外周の一部から基板１２の最も近い外周の一部に向かう方向に直交する方向の長さである。また、固定部１６は、基板１２の第１の面１２１側において切欠き状の凹部２２の円形開口に応じて位置付けられる。
【００４４】
導光部２１は、第２の実施形態と同じく、紫外線透過部材で構成される。導光部２１は、基板１２の切欠き状の凹部２２内に部分的に位置する。導光部２１は、図７のＡＡ線での断面図である図８に示すように、切欠き状の凹部２２から筺体１１の内側の側面までリブとして空間的に連続して配置される。これにより、図７に示すように、基板１２の切欠き状の凹部２２と、リブとして配置された導光部２１とは互いに嵌合する。さらに、導光部２１は、基板１２の凹部２２から筺体１１の底面まで空間的に連続して配置されて、基板１２の第２の面１２２に位置する接着剤１７に接着される。
【００４５】
第３の実施形態におけるその他の構成、作用は第２の実施形態と同じなので、同一または対応する構成要素には、同一参照符号を付して説明が省略される。
【００４６】
第３の実施形態によれば、基板１２の筺体１１への取付け時に外部から第２の空間１２ｂに入射された紫外線は、筺体１１と基板１２との間の透過部１８に配置された導光部２１に導光される。さらに、紫外線は、切欠き状の凹部２２に配置された導光部２１によっても導光されて第１の空間１２ａの固定部１６に到達する。そのため、より多くの紫外線が接着剤１７に照射されて接着剤１７の硬化をより促進することができる。
【００４７】
また、第３の実施形態によれば、基板１２の切欠き状の凹部２２と、リブとして配置された導光部２１とは互いに嵌合するため、より強固に基板１２を筺体１１に固定することができる。
【００４８】
＜第４の実施形態＞
続いて、本開示の第４の実施形態について、図面を参照して説明する。
【００４９】
第４の実施形態に係るレンズユニット４は、第３の実施形態に係るレンズユニット３と同じく、筺体１１、基板１２、撮像素子１３、撮像光学系１４、接着構造１５等を含んで構成される。レンズユニット４は、さらに反射部１９を備えてもよい。接着構造１５は、固定部１６、接着剤１７、導光部２１、および切欠き状の凹部２２を含む。図９に示すように、切欠き状の凹部２２は、貫通孔２０から、筺体１１の内側の側面ではなく筺体１１の内側の角部まで空間的に連続して配置される点で、第３の実施形態と異なっている。なお、図９においては、撮像光学系１４が省略されている。
【００５０】
第４の実施形態におけるその他の構成、作用は第３の実施形態と同じなので、同一または対応する構成要素には、同一参照符号を付して説明を省略する。
【００５１】
第４の実施形態によれば、基板１２の筺体１１への取付け時により多くの紫外線が接着剤１７を照射して接着剤１７の硬化をより促進することができる。また、第３の実施形態と同じく、基板１２は筺体１１に強固に固定される。
【００５２】
＜第５の実施形態＞
続いて、本開示の第５の実施形態について、図面を参照して説明する。
【００５３】
第５の実施形態に係るレンズユニット５は、第３の実施形態に係るレンズユニット３と同じく、筺体１１、基板１２、撮像素子１３、撮像光学系１４、接着構造１５等を含んで構成される。また、接着構造１５は、固定部１６、接着剤１７、導光部２１、および切欠き状の凹部２２を含む。また、切欠き状の凹部２２は、図１０に示すように、基板１２の直角の角部を、固定部１６に対応する位置と、基板１２の隣接する頂点とを対向する頂点とするように、略矩形状に切り欠いた形状である。なお、図１０においては、撮像光学系１４が省略されている。
【００５４】
また、導光部２１は、第２の実施形態で説明したように、筺体１１の内側の側面に沿って配置され、第１の空間１２ａにおいては筺体１１の内側の底面に配置される。これによって、導光部２１は、第２の空間１２ｂから固定部１６まで空間的に連続するように配置される。さらに導光部２１は、基板１２の切欠き状の凹部２２を形成する外縁に沿って、固定部１６から、筺体１１において互いに直角に位置する２つの側面それぞれまでに配置される。これによって、基板１２の切欠き状の凹部２２を形成する外縁に沿って配置された導光部２１はリブとしての機能を果たし、基板１２は筺体１１に、より強固に固定される。
【００５５】
第５の実施形態におけるその他の構成、作用は第３の実施形態と同じなので、同一または対応する構成要素には、同一参照符号を付して説明を省略する。
【００５６】
以上説明したように、第５の実施形態によれば、切欠き状の凹部２２が、固定部１６に対応する基板１２の位置から、筺体１１の内側の２つの側面にそれぞれまで空間的に連続している。そのため、第３の実施形態および第４の実施形態と比較して、筺体１１に基板１２が取り付けられるときに第２の空間１２ｂから第１の空間１２ａに入射される紫外線の量が多くなる。このため、多くの紫外線が接着剤１７に照射されて接着剤１７の硬化をより促進することができる。
【００５７】
また、固定部１６から、筺体１１において互いに直角に位置する２つの側面それぞれにまで、リブとしての導光部２１が固定部１６に固定されるため、より強固に基板１２を筺体１１に取り付けることが可能となる。また、基板１２において固定部１６より筺体１１に近い部分はいわゆるデッドスペースであり、部品が配置され得ない。そのため、切欠き状の凹部２２を大きく設けることにより基板１２の面積が狭くなっても、部品の取付けに与える影響は少ない。
【００５８】
なお、第５の実施形態においては、図１１に示すように、透過部１８に導光部２１を配置しないようにしてもよい。このようにしても、紫外線は切欠き状の凹部２２に位置した導光部２１に導光されて第２の空間１２ｂに入射させることができ、第２の空間１２ｂに配置されている固定部１６を通過した紫外線によって接着剤１７の硬化が促進される。
【００５９】
＜第６の実施形態＞
続いて、本開示の第６の実施形態について、図面を参照して説明する。
【００６０】
第６の実施形態に係るレンズユニット６は、第１の実施形態に係るレンズユニット１と同じく、筺体１１、基板１２、撮像素子１３、撮像光学系１４、接着構造１５等を含んで構成される。図１２に示すように、接着構造１５は、基板１２に設けられた、第１の空間１２ａと第２の空間１２ｂとを接続する開口である穴部２３をさらに含む点で異なっている。本実施形態においては、第１の実施形態に係るレンズユニット１の接着構造１５が含む、筺体１１と基板１２との間の透過部１８に設けられた導光部２１と類似の、第６の実施形態における導光部２１を「第１の導光部２１」という。
【００６１】
図１２のＡＡ線での断面図である図１３に示すように、穴部２３には、紫外線透過性の材料を含む第２の導光部２４がボスとして挿入される。
【００６２】
また、第２の導光部２４は、筺体１１と一体に設けられ、さらにボスとして基板１２の穴部２３に挿入される。これにより、第２の導光部２４は、面方向へ変位を妨げるよう基板１２を固定する。また、図１２のＡＡ線での断面図である図１３に示すように、第２の導光部２４は、固定部１６と一体として形成される。第２の導光部２４は、筺体１１と一体に設けられる代わりに、筺体１１に取り付けられた固定用部材であってもよい。
【００６３】
第６の実施形態におけるその他の構成、作用は第１の実施形態と同じなので、同一または対応する構成要素には、同一参照符号を付して説明を省略する。
【００６４】
以上説明したように、第６の実施形態によれば、穴部２３が設けられ、穴部２３に第２の導光部２４が挿入されている。そのため、基板１２の筺体１１への取付け時に外部から第２の空間１２ｂに入射された紫外線が、穴部２３に挿入された第２の導光部２４に導光されて固定部１６の外側に到達する。そして固定部１６の外側に到達した光が紫外線透過性の材料を含む固定部１６を通過して固定部１６の穴部１６１に挿入されている接着剤１７を照射する。そのため、より多くの紫外線が接着剤１７に照射されて接着剤１７の硬化を促進することができる。
【００６５】
なお、本開示は、上記実施形態にのみ限定されるものではなく、幾多の変形または変更が可能である。例えば、本開示の接着構造１５が適用できるのは、レンズユニットに限られない。接着構造１５は、筺体１１に基板等を接続する他の種々の装置に適用され得る。接着構造１５は、光学素子の配置に用いてもよい。また、第１の空間１２ａと第２の空間１２ｂとの間の開口の形状は、上述の各実施形態のものに限られず、種々の形状とすることが可能である。例えば、開口である貫通孔２０は矩形または楕円形等種々の形状であったり、切欠き状の凹部２２を円形または楕円形等種々の形状であったりしてよい。さらに、上記実施形態では、固定部１６の穴部１６１は、上面視において円形であるが、略矩形または楕円形等の形状であってよい。
【符号の説明】
【００６６】
１，２，３，４，５，６  レンズユニット
７                      撮像装置
８                      車両
９                      車載カメラ
１１                    筺体
１２                    基板
１２ａ                  第１の空間
１２ｂ                  第２の空間
１３                    撮像素子
１４                    撮像光学系
１５                    接着構造
１６                    固定部
１７                    接着剤
１８                    透過部
１９                    反射部
２０                    貫通孔
２１                    導光部（第１の導光部）
２２                    切欠き状の凹部
２３                    穴部
２４                    第２の導光部
１２１                  第１の面
１２２                  第２の面
１６１                  穴部
【図１】
0006629966.tif 000002
【図２】
0006629966.tif 000003
【図３】
0006629966.tif 000004
【図４】
0006629966.tif 000005
【図５】
0006629966.tif 000006
【図６】
0006629966.tif 000007
【図７】
0006629966.tif 000008
【図８】
0006629966.tif 000009
【図９】
0006629966.tif 000010
【図１０】
0006629966.tif 000011
【図１１】
0006629966.tif 000012
【図１２】
0006629966.tif 000013
【図１３】
0006629966.tif 000014